(57)【要約】      （修正有）【課題】持ち運び性を損なわず且つ電動リール使用中の電池切れの発生を抑えることができるポータブルバッテリーを提供する。【解決手段】ポータブルバッテリー本体７１は、電動リール１に供給される電力を蓄積する。第１バッテリー電源接続部７２は、電動リール１の電源接続部１４ａに接続される。第２バッテリー電源接続部７３は、ベースバッテリー８の電源コード８２の電源コード接続部８７に着脱自在に接続される。そして、第２バッテリー電源接続部７３に電源コード８２の電源コード接続部８７が接続されている場合には、、ベースバッテリー８からの電力が電動リール１に供給される。また、第２バッテリー電源接続部７３に電源コード８２の電源コード接続部８７が接続されていない場合には、ポータブルバッテリー本体７１に蓄積された電力が電動リール１に供給される。【選択図】図１
2007129943.tif 000002
【特許請求の範囲】
【請求項１】
電動リールまたは釣竿に一体的に取り付けられ前記電動リールに電力を供給する電動リール用ポータブルバッテリーであって、
前記電動リールに供給される電力を蓄積するポータブルバッテリー本体と、
前記電動リールの電源接続部に接続される第１バッテリー電源接続部と、
外部電源の電源接続部に着脱自在に接続される第２バッテリー電源接続部と、
を備え、
前記第２バッテリー電源接続部に前記外部電源の電源接続部が接続されている場合には、前記外部電源からの電力が前記電動リールに供給され、
前記第２バッテリー電源接続部に前記外部電源の電源接続部が接続されていない場合には、前記ポータブルバッテリー本体に蓄積された電力が前記電動リールに供給される、
電動リール用ポータブルバッテリー。
【請求項２】
前記第２バッテリー電源接続部に前記外部電源の電源接続部が接続されている場合には、前記外部電源からの電力が前記第２バッテリー電源接続部および前記第１バッテリー電源接続部を介して前記電動リールに供給されると共に、前記外部電源からの電力により前記ポータブルバッテリー本体が充電される、
請求項１に記載の電動リール用ポータブルバッテリー。
【請求項３】
電動リールまたは釣竿に一体的に取り付けられ前記電動リールに電力を供給する電動リール用ポータブルバッテリーであって、
前記電動リールに供給される電力を蓄積するポータブルバッテリー本体と、
前記電動リールの電源接続部に接続される第１バッテリー電源接続部と、
外部電源の電源接続部に着脱自在に接続される第２バッテリー電源接続部と、
を備え、
前記第２バッテリー電源接続部に前記外部電源の電源接続部が接続されている場合には、前記外部電源からの電力により前記ポータブルバッテリー本体が充電され、
前記第２バッテリー電源接続部に前記外部電源の電源接続部が接続されていない場合には、前記ポータブルバッテリー本体に蓄積された電力が前記電動リールに供給される、
電動リール用ポータブルバッテリー。
【請求項４】
前記第２バッテリー電源接続部は、前記第１バッテリー電源接続部よりも少ない動作で前記外部電源の電源接続部から取り外し可能である、
請求項１から３のいずれかに記載の電動リール用ポータブルバッテリー。
【請求項５】
前記第２バッテリー電源接続部は、前記外部電源の電源接続部が一方向に引き抜かれることにより前記外部電源の電源接続部との接続が解除される、
請求項１から４のいずれかに記載の電動リール用ポータブルバッテリー。
【請求項６】
前記第１バッテリー電源接続部は、前記ポータブルバッテリー本体の一端に設けられ、
前記第２バッテリー電源接続部は、前記ポータブルバッテリー本体の他端に設けられる、
請求項１から５のいずれかに記載の電動リール用ポータブルバッテリー。
【請求項７】
前記第１バッテリー電源接続部が前記電動リールの電源接続部に接続され固定されることにより、前記電動リールに一体的に取り付けられる、
請求項１から６のいずれかに記載の電動リール用ポータブルバッテリー。
【請求項８】
請求項１から７のいずれかに記載の電動リール用ポータブルバッテリーと、
前記電動リール用ポータブルバッテリーよりも大きな容量を有する前記外部電源としてのベースバッテリーと、
を備える電動リール用バッテリーセット。
【請求項９】
前記ベースバッテリーは、
前記電動リール用ポータブルバッテリー側に供給される電力を蓄積するベースバッテリー本体と、
一端が前記ベースバッテリー本体に接続され、他端に前記第２バッテリー電源接続部に接続される電源接続部が設けられた電源コードと、
を有する、
請求項８に記載の電動リール用バッテリーセット。
【請求項１０】
リール本体と、
前記リール本体または釣竿に一体的に取り付けられる電動リール用ポータブルバッテリーの電源接続部が接続される第１リール電源接続部と、
外部電源の電源接続部が着脱自在に接続される第２リール電源接続部と、
を備え、
前記第２リール電源接続部に前記外部電源の電源接続部が接続されている場合には、前記外部電源からの電力の供給を受け、
前記第２リール電源接続部に前記外部電源の電源接続部が接続されておらず且つ前記第１リール電源接続部に前記電動リール用ポータブルバッテリーの電源接続部が接続されている場合には、前記電動リール用ポータブルバッテリーから電力の供給を受ける、
電動リール。
【請求項１１】
前記第２リール電源接続部は、前記第１リール電源接続部よりも少ない動作で前記外部電源の電源接続部から取り外し可能である、
請求項１０に記載の電動リール。
【請求項１２】
前記第２リール電源接続部は、前記外部電源の電源接続部が一方向に引き抜かれることにより前記外部電源の電源接続部との接続が解除される、
請求項１０または１１に記載の電動リール。
【発明の詳細な説明】
【技術分野】
【０００１】
本発明は、電動リール用ポータブルバッテリー、電動リール用バッテリーセットおよび電動リールに関する。
【背景技術】
【０００２】
従来、電動リールに電力を供給するためのバッテリーを電動リールや釣竿に一体的に取付可能とした電動リール用ポータブルバッテリーが知られている（特許文献１参照）。この電動リール用ポータブルバッテリーでは、バッテリーを釣竿およびリールと共に容易に持ち運ぶことができ、バッテリーコードが釣り中に邪魔になるという煩わしさを解消することができる。
【特許文献１】実開平５−７６２６７号公報
【発明の開示】
【発明が解決しようとする課題】
【０００３】
しかし、上記のような電動リール用ポータブルバッテリーでは、電動リールが長時間使用されると、電動リールの使用中に電力が不足する恐れがある。一方、このような電動リール使用中の電池切れを防止するために容量の大きいバッテリーを用いた場合には、バッテリーが大型化して持ち運びの良さが低下してしまう。
【０００４】
本発明の課題は、持ち運び性を損なわず且つ電動リール使用中の電池切れの発生を抑えることができる電動リール用ポータブルバッテリー、電動リール用バッテリーセットおよび電動リールを提供することにある。
【課題を解決するための手段】
【０００５】
第１発明に係る電動リール用ポータブルバッテリーは、電動リールまたは釣竿に一体的に取り付けられ電動リールに電力を供給する電動リール用ポータブルバッテリーであって、ポータブルバッテリー本体と、第１バッテリー電源接続部と、第２バッテリー電源接続部とを備える。ポータブルバッテリー本体は、電動リールに供給される電力を蓄積する。第１バッテリー電源接続部は、電動リールの電源接続部に接続される。第２バッテリー電源接続部は、外部電源の電源接続部に着脱自在に接続される。そして、第２バッテリー電源接続部に外部電源の電源接続部が接続されている場合には、外部電源からの電力が電動リールに供給される。また、第２バッテリー電源接続部に外部電源の電源接続部が接続されていない場合には、ポータブルバッテリー本体に蓄積された電力が電動リールに供給される。
【０００６】
この電動リール用ポータブルバッテリーでは、通常時は、第２バッテリー電源接続部に外部電源の電源接続部を接続することにより、外部電源からの電力により電動リールを駆動することができる。これにより、電動リール用ポータブルバッテリーの電力の消耗を抑えることができる。また、魚が掛かったときや移動時などには、第２バッテリー電源接続部から外部電源の電源接続部を取り外すことにより、持ち運び性を向上させることができると共に、電動リール用ポータブルバッテリーの電力により電動リールを駆動することができる。これにより、この電動リール用ポータブルバッテリーでは、持ち運び性を損なわず且つ電動リール使用中の電池切れの発生を抑えることができる。
【０００７】
第２発明に係る電動リール用ポータブルバッテリーは、第１発明の電動リール用ポータブルバッテリーであって、第２バッテリー電源接続部に外部電源の電源接続部が接続されている場合には、外部電源からの電力が第２バッテリー電源接続部および第１バッテリー電源接続部を介して電動リールに供給されると共に、外部電源からの電力によりポータブルバッテリー本体が充電される。
【０００８】
この電動リール用ポータブルバッテリーでは、第２バッテリー電源接続部を外部電源の電源接続部に接続することにより、外部電源からの電力により電動リールを駆動することができると共に、電動リール用ポータブルバッテリーの充電を並行して行うことができる。これにより、電動リール使用中の電池切れの発生をより抑えることができる。
【０００９】
第３発明に係る電動リール用ポータブルバッテリーは、電動リールまたは釣竿に一体的に取り付けられ電動リールに電力を供給する電動リール用ポータブルバッテリーであって、ポータブルバッテリー本体と、第１バッテリー電源接続部と、第２バッテリー電源接続部とを備える。ポータブルバッテリー本体は、電動リールに供給される電力を蓄積する。第１バッテリー電源接続部は、電動リールの電源接続部に接続される。第２バッテリー電源接続部は、外部電源の電源接続部に着脱自在に接続される。そして、第２バッテリー電源接続部に外部電源の電源接続部が接続されている場合には、外部電源からの電力によりポータブルバッテリー本体が充電される。また、第２バッテリー電源接続部に外部電源の電源接続部が接続されていない場合には、ポータブルバッテリー本体に蓄積された電力が電動リールに供給される。
【００１０】
この電動リール用ポータブルバッテリーでは、通常時は、第２バッテリー電源接続部に外部電源の電源接続部を接続することにより、外部電源からの電力により電動リール用ポータブルバッテリーを充電することができる。これにより、電動リール用ポータブルバッテリーの電力の消耗を抑えることができる。また、魚が掛かったときや移動時などには、第２バッテリー電源接続部から外部電源の電源接続部を取り外すことにより、持ち運び性を向上させることができると共に、電動リール用ポータブルバッテリーの電力により電動リールを駆動することができる。これにより、この電動リール用ポータブルバッテリーでは、持ち運び性を損なわず且つ電動リール使用中の電池切れの発生を抑えることができる。
【００１１】
第４発明に係る電動リール用ポータブルバッテリーは、第１発明から第３発明のいずれかの電動リール用ポータブルバッテリーであって、第２バッテリー電源接続部は、第１バッテリー電源接続部よりも少ない動作で外部電源の電源接続部から取り外し可能である。
【００１２】
この電動リール用ポータブルバッテリーは、外部電源からの取り外しが容易である。このため、魚が掛かった時などに迅速に対応することができる。
【００１３】
第５発明に係る電動リール用ポータブルバッテリーは、第１発明から第４発明のいずれかの電動リール用ポータブルバッテリーであって、第２バッテリー電源接続部は、外部電源の電源接続部が一方向に引き抜かれることにより外部電源の電源接続部との接続が解除される。
【００１４】
この電動リール用ポータブルバッテリーでは、外部電源の電源接続部を一方向に引き抜くという簡易な動作によって、第２バッテリー電源接続部と外部電源の電源接続部との接続が解除される。このため、魚が掛かった時などにより迅速に対応することができる。
【００１５】
第６発明に係る電動リール用ポータブルバッテリーは、第１発明から第５発明のいずれかの電動リール用ポータブルバッテリーであって、第１バッテリー電源接続部は、ポータブルバッテリー本体の一端に設けられ、第２バッテリー電源接続部は、ポータブルバッテリー本体の他端に設けられる。
【００１６】
この電動リール用ポータブルバッテリーでは、第１バッテリー電源接続部と第２バッテリー電源接続部とがそれぞれポータブルバッテリー本体の一端と他端とに設けられる。これにより、第２バッテリー電源接続部から外部電源の電源接続部を容易に取り外すことができる。
【００１７】
第７発明に係る電動リール用ポータブルバッテリーは、第１発明から第６発明のいずれかの電動リール用ポータブルバッテリーであって、第１バッテリー電源接続部が電動リールの電源接続部に接続され固定されることにより、電動リールに一体的に取り付けられる。
【００１８】
この電動リール用ポータブルバッテリーは、第１バッテリー電源接続部を電動リールの電源接続部に接続して固定することにより、容易に電動リールに取り付けることができる。
【００１９】
第８発明に係る電動リール用バッテリーセットは、請求項１から７のいずれかに記載の電動リール用ポータブルバッテリーと、電動リール用ポータブルバッテリーよりも大きな容量を有する外部電源としてのベースバッテリーとを備える。
【００２０】
この電動リール用バッテリーセットでは、通常時は、第２バッテリー電源接続部にベースバッテリーの電源接続部を接続することにより、ベースバッテリーからの電力により電動リールを駆動する又は電動リール用ポータブルバッテリーを充電することができる。そして、ベースバッテリーは、電動リール用ポータブルバッテリーよりも容量が大きいため、電動リールの長時間の使用も可能である。また、持ち運び性を重視する場合には電動リール用ポータブルバッテリーによって電動リールを駆動することができるため、容量の大きい大型のベースバッテリーが利用されても、持ち運び性を損なう恐れがない。
【００２１】
第９発明に係る電動リール用バッテリーセットは、第８発明の電動リール用バッテリーセットであって、ベースバッテリーは、ベースバッテリー本体と、電源コードとを有する。ベースバッテリー本体は、電動リール用ポータブルバッテリー側に供給される電力を蓄積する。電源コードは、一端がベースバッテリー本体に接続され、他端に第２バッテリー電源接続部に接続される電源接続部が設けられている。
【００２２】
この電動リール用バッテリーセットでは、ベースバッテリー本体が電源コードを介して電動リール用ポータブルバッテリーと接続される。このため、電動リール用ポータブルバッテリーの第２バッテリー電源接続部とベースバッテリーの電源接続部とが接続されている状態であっても、電源コードの届く範囲内で、電動リールおよび釣竿を移動させることができる。
【００２３】
第１０発明に係る電動リールは、リール本体と、第１リール電源接続部と、第２リール電源接続部とを備える。第１リール電源接続部は、リール本体または釣竿に一体的に取り付けられる電動リール用ポータブルバッテリーの電源接続部が接続される。第２リール電源接続部は、外部電源の電源接続部が着脱自在に接続される。そして、この電動リールは、第２リール電源接続部に外部電源の電源接続部が接続されている場合には、外部電源からの電力の供給を受ける。また、この電動リールは、第２リール電源接続部に外部電源の電源接続部が接続されておらず且つ第１リール電源接続部に電動リール用ポータブルバッテリーの電源接続部が接続されている場合には、電動リール用ポータブルバッテリーから電力の供給を受ける。
【００２４】
この電動リールでは、通常時は、第２リール電源接続部に外部電源の電源接続部を接続することにより、外部電源からの電力により電動リールを駆動することができる。これにより、電動リール用ポータブルバッテリーの電力の消耗を抑えることができる。また、魚が掛かったときや移動時などには、第２リール電源接続部から外部電源の電源接続部を取り外すことにより、持ち運び性を向上させることができると共に、電動リール用ポータブルバッテリーの電力により電動リールを駆動することができる。これにより、この電動リールでは、持ち運び性を損なわず且つ電動リール使用中の電池切れの発生を抑えることができる。
【００２５】
第１１発明に係る電動リールは、第１０発明の電動リールであって、第２リール電源接続部は、第１リール電源接続部よりも少ない動作で外部電源の電源接続部から取り外し可能である。
【００２６】
この電動リールでは、外部電源からの取り外しが容易である。このため、魚が掛かった時などに迅速に対応することができる。
【００２７】
第１２発明に係る電動リールは、第１０発明または第１１発明の電動リールであって、第２リール電源接続部は、外部電源の電源接続部が一方向に引き抜かれることにより外部電源の電源接続部との接続が解除される。
【００２８】
この電動リールでは、外部電源の電源接続部を一方向に引き抜くという簡易な動作によって、第２リール電源接続部と外部電源の電源接続部との接続が解除される。このため、魚が掛かった時などにより迅速に対応することができる。
【発明の効果】
【００２９】
本発明に係る電動リール用ポータブルバッテリーでは、通常時は、第２バッテリー電源接続部に外部電源の電源接続部を接続することにより、外部電源からの電力により電動リールを駆動することができる。これにより、電動リール用ポータブルバッテリーの電力の消耗を抑えることができる。また、魚が掛かったときや移動時などには、第２バッテリー電源接続部から外部電源の電源接続部を取り外すことにより、持ち運び性を向上させることができると共に、電動リール用ポータブルバッテリーの電力により電動リールを駆動することができる。これにより、この電動リール用ポータブルバッテリーでは、持ち運び性を損なわず且つ電動リール使用中の電池切れの発生を抑えることができる。
【発明を実施するための最良の形態】
【００３０】
＜第１実施形態＞
本発明の第１実施形態に係る電動リール１および電動リール用バッテリーセット６を図１に示す。
【００３１】
〈電動リール１〉
電動リール１は、釣竿Ｒに固定されており、電動リール用バッテリーセット６から供給される電力によってモーター４（図２参照）を駆動して釣糸を自動的に巻き取ることができるものである。この電動リール１は、図２に示すように、主にハンドル２ａが装着されたリール本体２と、リール本体２に回転自在に装着されたスプール３と、スプール３内に装着されたモーター４とを備えている。リール本体２の上部には、水深表示部９８を有するカウンタ５が装着されている。リール本体２の前右側部には、スプール３を可変に回転させるための調整レバー１０１が、後右側部にはクラッチ機構（図示せず）をオンオフ操作するためのクラッチ操作レバー５０がそれぞれ揺動自在に装着されている。また、リール本体２の前左側部には、ポータブルバッテリー７が取り付けられるリール電源接続部１４ａが設けられている（図１参照）。なお、ここでいう、「前、後、左、右」は、図１のように水平に置かれた釣竿Ｒに取り付けられた電動リール１を使用者側から見た状態を言うものとする。
【００３２】
リール本体２は、図２に示すように、フレーム１３と、フレーム１３の両側方を覆う側カバー１４、１５とを有している。フレーム１３は、アルミニウム合金ダイカストの一体成形された部材であり、その下部には、釣竿Ｒを装着するための竿装着脚１９が装着されている。側カバー１５には、ハンドル２ａ、調整レバー１０１、クラッチ操作レバー５０等が装着されている。側カバー１４には、リール電源接続部１４ａが設けられている。
【００３３】
スプール３は、内部にモーター４を収納可能な筒状の糸巻胴部３ａと、糸巻胴部３ａの外周部に間隔を隔てて形成された左右１対のフランジ部３ｂとを有しており、リール本体２に回転自在に支持されている。
【００３４】
モーター４は、内部に界磁や電機子を有する直流モーターであり、スプール３の糸巻き取り用、糸繰り出し用の動作用の駆動体として機能する。モーター４は、電動リール用バッテリーセット６から供給される電力により駆動される。
【００３５】
カウンタ５は、釣り糸の先端に装着された仕掛けの水深を表示するとともに、モーター４を制御するために設けられている。カウンタ５には、仕掛けの水深データや棚位置を水面からと底からとの２つの基準で表示するための液晶表示ディスプレイからなる水深表示部９８と、水深表示部９８の周囲に配置された複数のスイッチからなる操作キー部９９とが設けられている。また、カウンタ５の内部には、水深表示部９８やモーター４を制御するためのマイクロコンピュータからなるリール制御部（図示せず）が設けられている。これらのカウンタ５やリール制御部も電動リール用バッテリーセット６から供給される電力により駆動される。
【００３６】
調整レバー１０１は、略１４０度の範囲で揺動自在に装着されており、揺動レバー１０１の揺動軸には揺動角度を検出するためのポテンショメータ（図示せず）が連結されている。ポテンショメータは、リール制御部に接続されており、ポテンショメータで検出された揺動角度に応じて、リール制御部によりモーター４が制御される。
【００３７】
リール電源接続部１４ａは、図１に示すように、リール本体２に一体的に取り付けられるポータブルバッテリー７と接続される部分であり、リール本体２の内部において、モーター４、カウンタ５、リール制御部等の電気部品と電気的に接続されている。リール電源接続部１４ａは、リール本体２の前左側部において下方に突出するように設けられている。リール電源接続部１４ａは、後述するポータブルバッテリー７の第１バッテリー電源接続部７２に形成された雌螺子部が螺合可能な雄螺子部が外周面に形成されている。リール電源接続部１４ａの内部には、ポータブルバッテリー７から電力が供給される複数の端子ピンが設けられている。
【００３８】
〈電動リール用バッテリーセット６〉
電動リール用バッテリーセット６は、電動リール１に一体的に取り付けられるポータブルバッテリー７と、ポータブルバッテリー７と別体であり船縁の近傍等に載置されるベースバッテリー８とを有する。
【００３９】
〔ポータブルバッテリー７〕
ポータブルバッテリー７は、電動リール１および釣竿Ｒと一体化されて容易に持ち運びできる充電式のリチウムイオンバッテリーであり、電動リール１に電力を供給する。ポータブルバッテリー７は、後述するベースバッテリー８よりも容量は小さいが、ベースバッテリー８よりも小型、且つ、軽量のものである。ポータブルバッテリー７は、ポータブルバッテリー本体７１と、第１バッテリー電源接続部７２と、第２バッテリー電源接続部７３とを有する。
【００４０】
ポータブルバッテリー本体７１は、電動リール１に供給される電力を蓄積する部分であり、柱体状の外形を有する。ポータブルバッテリー本体７１は、外面が合成樹脂製の部材で覆われており、内部には電力を蓄積する蓄電部分が収容されている。ポータブルバッテリー本体７１の一端には、第１バッテリー電源接続部７２が設けられており、他端には、第２バッテリー電源接続部７３が設けられている。
【００４１】
第１バッテリー電源接続部７２は、電動リール１のリール電源接続部１４ａに接続される部分であり、図１に示す状態では、ポータブルバッテリー本体７１の上端に設けられている。ポータブルバッテリー７は、第１バッテリー電源接続部７２が電動リール１のリール電源接続部１４ａに接続され固定されることにより、電動リール１に一体的に取り付けられる。第１バッテリー電源接続部７２は、リール電源接続部１４ａの雄螺子部に螺合可能な雌螺子部が内周面に設けられている。また、第１バッテリー電源接続部７２の内部には、リール電源接続部１４ａの端子ピンが挿入される複数の端子孔が設けられている。
【００４２】
第２バッテリー電源接続部７３は、ベースバッテリー８の電源コード接続部８７に着脱自在に接続される部分であり、図１の状態においてポータブルバッテリー本体７１の下面に設けられている。第２バッテリー電源接続部７３は、内部にベースバッテリー８から電力を供給される複数の端子ピン７３ａ，７３ｂが設けられている。また、第２バッテリー電源接続部７３には、端子ピン７３ａ，７３ｂの周囲を覆い下方が開放されたカバー部７４が設けられている。このカバー部７４は、内周面がベースバッテリー８の電源コード接続部８７の先端外周面と合致する形状であり、ベースバッテリー８の電源コード接続部８７が嵌合する。従って、カバー部７４と電源コード接続部８７との嵌合、及び、第２バッテリー電源接続部７３の端子ピン７３ａ，７３ｂと電源コード接続部８７の端子孔８７ａ，８７ｂとの嵌合によって、第２バッテリー電源接続部７３と電源コード接続部８７とが固定される。このため、第２バッテリー電源接続部７３は、ベースバッテリー８の電源コード接続部８７を一方向に引き抜くことによって、ベースバッテリー８の電源コード接続部８７との接続を解除することができ、電源コード８２をポータブルバッテリー７から取り外すことができる。また、電源コード接続部８７を上記とは逆方向に差し込むことによって、電源コード接続部８７を第２バッテリー電源接続部７３に接続することができ、電源コード８２をポータブルバッテリー７に取り付けることができる。
【００４３】
上述した第１バッテリー電源接続部７２と第２バッテリー電源接続部７３とは、ポータブルバッテリー本体７１の内部の蓄電部分に対して電気的に並列に接続されており、第２バッテリー電源接続部７３にベースバッテリー８の電源コード接続部８７が接続されている場合には、ベースバッテリー８からの電力が、第１バッテリー電源接続部７２と第２バッテリー電源接続部７３とを介して電動リール１に供給されると共に、ベースバッテリー８からの電力によりポータブルバッテリー本体７１が充電される。また、第２バッテリー電源接続部７３にベースバッテリー８の電源コード接続部８７が接続されていない場合には、ポータブルバッテリー本体７１に蓄積された電力が第１バッテリー電源接続部７２を介して電動リール１に供給される。
【００４４】
〔ベースバッテリー８〕
ベースバッテリー８は、ポータブルバッテリー７に接続されることによって、電動リール１およびポータブルバッテリー７に電力を供給する。このベースバッテリー８は、ポータブルバッテリー７よりも大きく、且つ、重量も重いが、ポータブルバッテリー７よりも大きな容量を有する。ベースバッテリー８は、ベースバッテリー本体８１と、電源コード８２とを有する。
【００４５】
ベースバッテリー本体８１は、充電を繰り返し行うことができるリチウムイオンバッテリーであり、ポータブルバッテリー７側に供給される電力を蓄積する。ベースバッテリー本体８１は、電源コード８２を介して、ポータブルバッテリー７及び電動リール１に電気的に接続される。ベースバッテリー本体８１は、上面視長円形の略直方体形状に形成され、側部中央が凹んだ湾曲形状になっている。ベースバッテリー本体８１の下面は滑り止めが設けられた平坦な形状となっている。ベースバッテリー本体８１の外側部は、合成樹脂製の部材で覆われており、ベースバッテリー本体８１の上部両端には、電源コード８２に接続される略Ｌ字状の端子部８３，８４が設けられている。
【００４６】
電源コード８２は、一端がベースバッテリー本体８１に接続され、他端がポータブルバッテリー７に接続されることにより、ポータブルバッテリー７とベースバッテリー本体８１とを電気的に接続する。電源コード８２の一端には、ベースバッテリー８の端子部８３，８４を挟持する鰐口クリップ８５，８６が設けられている。また、電源コード８２の他端には、第２バッテリー電源接続部７３に接続される電源コード接続部８７が設けられている。この電源コード接続部８７は、電源コード８２のコード部分よりも大きい外径を有しており、把持し易い形状となっている。上述したように、電源コード接続部８７の先端外周面は、第２バッテリー電源接続部７３のカバー部７４の内周面と合致する形状となっており、その先端面には、第２バッテリー電源接続部７３の端子ピン７３ａ，７３ｂが挿入される複数の端子孔８７ａ，８７ｂが設けられている。このように、電源コード８２とポータブルバッテリー７との接続は、カバー部７４と電源コード８２先端との嵌合および端子ピン７３ａ，７３ｂと端子孔８７ａ，８７ｂとの嵌合によって行われる。従って、ベースバッテリー８は、電動リール１からのポータブルバッテリー７の取り外しよりも少ない動作で簡易にポータブルバッテリー７から取り外すことができる。
【００４７】
〈特長〉
（１）
この電動リール用バッテリーセット６では、ポータブルバッテリー７が、ベースバッテリー８および電動リール１と接続される並列の２系統の電源接続部（第１バッテリー電源接続部７２、第２バッテリー電源接続部７３）を有している。そして、ベースバッテリー８とポータブルバッテリー７の電源コード８２とが着脱自在となっているため、状況に応じて、電動リール１への電力の供給源をベースバッテリー８とポータブルバッテリー７とのいずれかに切り換えることができる。
【００４８】
例えば、持ち運びの良さを重視する場合には、ポータブルバッテリー７にベースバッテリー８が接続されていない状態にして、ポータブルバッテリー７のみを電動リール１への電力の供給源として用いることができる。この状態では、ポータブルバッテリー７は電源コード８２が繋がっていないコードレス状態であり、電動リール１および釣竿Ｒと一体的に簡易に持ち運ぶことができる。
【００４９】
また、ポータブルバッテリー７の電力の消耗を抑える場合には、ポータブルバッテリー７の第２バッテリー電源接続部７３に電源コード８２を接続して、ポータブルバッテリー７とベースバッテリー８とが接続された状態とすることができる。これにより、比較的容量の大きいベースバッテリー８を電動リール１への電力の供給源として用いることができ、ポータブルバッテリー７の電力の消耗を抑えることができる。また、これと同時に、ポータブルバッテリー７の充電も行うことができる。
【００５０】
そして、仕掛けに魚が掛かったときなどには、ポータブルバッテリー７の第２バッテリー電源接続部７３から電源コード８２を瞬時に引き抜くことで、持ち運びのよい状態に迅速に切り換えることができる。
【００５１】
（２）
この電動リール用バッテリーセット６では、電動リール１の電源としてベースバッテリー８を使用することにより、ポータブルバッテリー７の電力の消耗を抑えることができる。このため、ポータブルバッテリー７として容量の小さいものを使用しても電池切れの恐れが少なく、ポータブルバッテリー７の小型化が可能である。また、持ち運びの良さを重視する場合には、電動リール１の電源としてポータブルバッテリー７のみを使用することができるため、ベースバッテリー８として大型のものを利用しても持ち運びの良さを損なう恐れがない。
【００５２】
＜第２実施形態＞
〈構造〉
本発明の第２実施形態に係る電動リール９を図３に示す。この電動リール９は、リール本体９１と、第１リール電源接続部９２と、第２リール電源接続部９３とを備える。
【００５３】
リール本体９１は、第１実施形態のリール本体２と同様のものである。
【００５４】
第１リール電源接続部９２は、第１実施形態のリール電源接続部１４ａと同様のものであり、ポータブルバッテリー７の第１バッテリー電源接続部７２が接続される。
【００５５】
第２リール電源接続部９３は、リール本体９１の前左側部において下方に突出するように設けられており、ベースバッテリー８の電源コード接続部８７が着脱自在に接続される。第２リール電源接続部９３は、第１実施形態の第２バッテリー電源接続部７３と同様の構造であり、第１リール電源接続部９２よりも少ない動作でベースバッテリー８の電源コード接続部８７を取り外すことができる。すなわち、ベースバッテリー８の電源コード接続部８７を一方向に引き抜くことにより、ベースバッテリー８の電源コード８２を第２リール電源接続部９３から取り外すことができる。また、ベースバッテリー８の電源コード接続部８７を上記と逆方向に差し込むことにより、電源コード８２を第２リール電源接続部９３に取り付けることができる。
【００５６】
上記のように、この電動リール９では、２系統の並列の電源接続部（第１リール電源接続部９２、第２リール電源接続部９３）が設けられている。そして、第２リール電源接続部９３にベースバッテリー８の電源コード接続部８７が接続されている場合には、ベースバッテリー８からの電力の供給を受ける。なお、このとき、第１リール電源接続部９２にポータブルバッテリー７が接続されている場合には、ベースバッテリー８からの電力により、ポータブルバッテリー７の充電が併せて行われてもよい。また、第２リール電源接続部９３にベースバッテリー８の電源コード接続部８７が接続されておらず且つ第１リール電源接続部９２にポータブルバッテリー７の第１バッテリー電源接続部７２が接続されている場合には、電動リール９はポータブルバッテリー７から電力の供給を受ける。
【００５７】
なお、電動リール９の他の構造については、第１実施形態の電動リール１と同様である。また、ベースバッテリー８は第１実施形態と同様のものである。ポータブルバッテリー７も第１実施形態と同様のものであるが、この場合、第２バッテリー電源接続部７３は無くてもよい。
【００５８】
〈特長〉
この電動リール９においても、状況に応じて電力の供給源をベースバッテリー８とポータブルバッテリー７とに切り換えることができ、第１実施形態と同様の効果を奏することができる。
【００５９】
＜他の実施形態＞
（１）
上記の第１実施形態では、ポータブルバッテリー７の第２バッテリー電源接続部７３にベースバッテリー８の電源コード接続部８７が接続されている場合には、ベースバッテリー８の電力が、第２バッテリー電源接続部７３および第１バッテリー電源接続部７２を介して電動リール９に供給されているが、ベースバッテリー８からの電力がポータブルバッテリー７の充電にのみ用いられてもよい。この場合も、ポータブルバッテリー７の電力の消耗を抑えることができる。
【００６０】
（２）
上記の実施形態では、外部電源としてベースバッテリー８が用いられているが、複数の電動リール９に電力を供給するために釣り船に搭載された電源が用いられてもよい。
【００６１】
（３）
上記の実施形態では、ポータブルバッテリー７は電動リール１，９に直接、取り付けられているが、釣竿Ｒに一体的に取り付けられると共にケーブル等によって電動リール１，９に電気的に接続されてもよい。
【００６２】
（４）
上記の第１実施形態では、電源コード８２と第２バッテリー電源接続部７３とは一方向に抜き差しするだけで着脱可能な構造となっているが、簡易に着脱可能な構造であれば他の構造であってもよい。第２実施形態の電源コード接続部８７と第２リール電源接続部９３との着脱構造についても同様である。
【００６３】
（５）
上記の実施形態において、ベースバッテリー８の電源コード８２、ポータブルバッテリー７又は電動リール９に、電源コード８２を容易に着脱するための簡易な爪構造を設けてもよい。さらに、簡易な爪構造において、電源コード８２を引き抜くための握り部に自然に手が当たるレバーやボタンを設けてもよい。
【産業上の利用可能性】
【００６４】
本発明は、持ち運び性を損なわず且つ電動リール使用中の電池切れの発生を抑えることができる効果を有し、電動リール用ポータブルバッテリー、電動リール用バッテリーセットおよび電動リールとして有用である。
【図面の簡単な説明】
【００６５】
【図１】第１実施形態に係る電動リールおよび電動リール用バッテリーセットを示す図。
【図２】電動リールの構成を示す図。
【図３】第２実施形態に係る電動リールおよび電動リール用バッテリーセットを示す図。
【符号の説明】
【００６６】
１，９      電動リール
２，９１    リール本体
６          電動リール用バッテリーセット
７          ポータブルバッテリー
８          ベースバッテリー（外部電源）
１４ａ      リール電源接続部（電動リールの電源接続部）
７１        ポータブルバッテリー本体
７２        第１バッテリー電源接続部
７３        第２バッテリー電源接続部
８１        ベースバッテリー本体
８２        電源コード
８７        電源コード接続部（外部電源の電源接続部）
９２        第１リール電源接続部
９３        第２リール電源接続部
Ｒ          釣竿
【図１】
2007129943.tif 000003
【図２】
2007129943.tif 000004
【図３】
2007129943.tif 000005